(57)【特許請求の範囲】
【請求項１】
マンホール鉄蓋２をマンホール鉄蓋座１の開口内面部４に嵌合させた状態で錠止する錠止構造を備えたマンホール構造であって、
錠止構造は、マンホール鉄蓋２の下面部に配置したロック体１０と、マンホール鉄蓋座１の開口内面部４の下側に設けた係止部１３とからなり、
ロック体１０は、マンホール鉄蓋２の下面部に往復揺動自在に軸支された軸部１２と、軸部１２から係止部１３側へ突出して、係止部１３に係止されるようになっているロック腕１６と、ロック腕１６を係止部１３側へ揺動付勢する重り１７と、ロック腕１６の基端部に設けたキー受部１５とを備えており、
マンホール鉄蓋２は、ロック体１０のキー受部１５と対面する個所に、マンホールキーＫが挿通可能なキー穴２０を設けており、
キー受部１５は、キー穴２０内に嵌入するピン１５ａと、ピン１５ａを上下動可能に支持するピン支持部１５ｂと、ピン１５ａを上方へ付勢するスプリング１５ｃとを備えており、
ピン１５ａがキー穴２０に嵌入することで、ロック体１０の揺動が規制される一方で、マンホールキーＫをキー穴２０に挿入してピン１５ａを押し下げることで、ピン１５ａがキー穴２０から外れてロック体１０が揺動可能になることを特徴とするマンホール構造。
【請求項２】
ロック腕１６を係止部１３側へ付勢するキックばね１９を有する請求項１記載のマンホール構造。
【発明の詳細な説明】
【０００１】
【発明の属する技術分野】
本発明は、集中豪雨などの際にマンホール内に充満した流水や空気の圧力、あるいはマンホール鉄蓋上を走る車両による振動などによってマンホール鉄蓋が開くことを防止する錠止構造を備えたマンホール構造に関する。
【０００２】
【従来の技術】
この種のマンホール構造は、例えば特開平９−２９６４７０号公報にみることができる。これでは、マンホール鉄蓋座の開口内面部の下方に凹み形成された係止部に、マンホール鉄蓋の下面に往復揺動自在に軸支されたロック体のロック爪が入り込んで係止されることで、マンホール内に充満した流水の圧力などによってマンホール鉄蓋が浮き上がって、マンホール鉄蓋座から外れてしまうことを防止している。
【０００３】
【発明が解決しようとする課題】
従来のマンホール構造では、ロック体に設けた重りの重量によってロック体を係止部側へ揺動付勢して、ロック爪がマンホール鉄蓋座の係止部に入り込んだ係止姿勢を保持させている。このため、前記マンホール内に充満した流水の圧力などによってロック体が重りの重量に抗して揺動し、ロック爪が係止部から外れてしまうおそれがあった。この場合、マンホール鉄蓋が流水の圧力などで押し上げられて、マンホール鉄蓋が開いてしまうところに問題がある。
【０００４】
本発明の目的は、マンホール内に充満した流水の圧力などによってマンホール鉄蓋が開くことを確実に防止することにある。
【０００５】
【課題を解決するための手段】
本発明が対象とするマンホール構造は、マンホール鉄蓋２をマンホール鉄蓋座１の開口内面部４に嵌合させた状態で錠止する錠止構造を備えている。錠止構造は、マンホール鉄蓋２の下面部に配置したロック体１０と、マンホール鉄蓋座１の開口内面部４の下側に設けた係止部１３とからなる。ロック体１０は、マンホール鉄蓋２の下面部に往復揺動自在に軸支された軸部１２と、軸部１２から係止部１３側へ突出して、係止部１３に係止されるようになっているロック腕１６と、ロック腕１６を係止部１３側へ揺動付勢する重り１７と、ロック腕１６の基端部に設けたキー受部１５とを備えている。
【０００６】
マンホール鉄蓋２は、ロック体１０のキー受部１５と対面する個所に、マンホールキーＫが挿通可能なキー穴２０を設けている。キー受部１５は、キー穴２０内に嵌入するピン１５ａと、ピン１５ａを上下動可能に支持するピン支持部１５ｂと、ピン１５ａを上方へ付勢するスプリング１５ｃとを備えている。そして、ピン１５ａがキー穴２０に嵌入することで、ロック体１０の揺動が規制される一方で、マンホールキーＫをキー穴２０に挿入してピン１５ａを押し下げることで、ピン１５ａがキー穴２０から外れてロック体１０が揺動可能になる。
【０００７】
またロック腕１６を係止部１３側へ付勢するキックばね１９を有するものとすることができる。キックばね１９は、ロック腕１６を直接付勢するものや、重り１７を介して付勢するものなどが含まれる。
【０００８】
【発明の作用効果】
ロック体１０のピン１５ａがマンホール鉄蓋２のキー穴２０に嵌入することで、ロック体１０の揺動が規制されて、ロック腕１６が係止部１３で係止される係止姿勢が保持されるので、集中豪雨などの際にマンホール内に充満した流水や空気の圧力、あるいはマンホール鉄蓋上を走る車両による振動などによって、ロック体１０が揺動してロック腕１６が係止部１３から外れることがなく、マンホール鉄蓋２が開くことを確実に防止できる。しかも、ピン１５ａとピン支持部１５ｂとスプリング１５ｂとをロック体１０に備えるだけの簡単な構成で前記効果を得ることができるので、その分だけコストを抑えることができる。
【０００９】
マンホールキーＫをキー穴２０に挿入して、キー受部１５のピン１５ａをスプリング１５ｂの付勢力に抗して押し下げることで、ピン１５ａがキー穴２０から外れて、ロック体１０が揺動可能になり、さらにマンホールキーＫを押し込むことで、ピン１５ａやキー受部１５を介してロック腕１６が揺動されて係止部１３から外れる。つまり、マンホールキーＫをキー穴２０に挿入して押し込むといった簡単な操作で、ロック腕１６を係止部１３から外してマンホール鉄蓋２を開くことができるので、マンホール鉄蓋２を開く際の作業者の負担を軽減できる。しかも、マンホールキーＫといった専用の工具をキー穴２０に挿入しなければ、マンホール鉄蓋２を開くことができないので、いたずらによるマンホール鉄蓋２の開放を確実に防止できる。
【００１０】
ロック腕１６を係止部１３側へ付勢するキックばね１９が備えられていると、マンホールが傾斜する路面に設置される場合にも、ロック体１０を適正な係止姿勢に維持できる。
【００１１】
【発明の実施の形態】
図１ないし図５は本発明に係るマンホール構造を例示している。図２においてマンホール構造は、路面等に埋設されるリング状のマンホール鉄蓋座１と、その開口上面を塞ぐマンホール鉄蓋２と、マンホール鉄蓋２の内面下方に配置される転落防止の内枠３とからなる。
【００１２】
マンホール鉄蓋座１は、リング状の筒壁１ａの下端外周縁にフランジ状のベース１ｂを張り出した鋳造品からなり、筒壁１ａの内面の上下にマンホール鉄蓋２用の装填部（開口内面部）４と、内枠３用の装填部５とがそれぞれ設けてある。マンホール鉄蓋２用の装填部４は、図１に示すごとく下すぼまりテーパー状の周回面４ａと、マンホール鉄蓋２の下面周縁の接合座７を受け止める段壁４ｂとからなる。
【００１３】
マンホール鉄蓋２は、下面が下凸状に湾曲する円盤状の鋳造品からなり、その周面に下すぼまりテーパー状の嵌合面６を設けている。そして、マンホール鉄蓋２を前記装填部４に嵌め込んだ閉蓋状態（図１の状態）で、マンホール鉄蓋２の接合座７がマンホール鉄蓋座１の段壁４ｂによって受け止められる。マンホール鉄蓋２の嵌合面６とマンホール鉄蓋座１の周回面４ａとは数mm程度の隙間を介して対向することで、後述するマンホール鉄蓋座１の接合突起８の嵌め込みを容易にしている。マンホール鉄蓋２は、内圧開放機能を有する閉蓋ロック機構を介してマンホール鉄蓋座１に連結してある。
【００１４】
閉蓋ロック機構は、マンホール鉄蓋２の嵌合面６およびマンホール鉄蓋座１の装填部４に設けた凹凸係合構造と、この係合構造と径方向に対向する位相位置において、マンホール鉄蓋２の下面およびマンホール鉄蓋座１に設けた錠止構造とで構成する。凹凸係合構造は、マンホール鉄蓋２の嵌合面６の下端寄りに突設した接合突起８と、マンホール鉄蓋座１の周回面４ａに凹み形成した接合凹部９とからなり、両者８・９の凹凸係合によって、閉蓋状態のマンホール鉄蓋２を一定量の範囲内だけ上昇変位可能に接合している。つまり、接合突起８と接合凹部９の内面上壁９ａとの間には浮上隙間が確保されており、この隙間内で接合突起８が上方変位できるようになっている。
【００１５】
錠止構造は、マンホール鉄蓋２の下面部に配置したロック体１０と、マンホール鉄蓋座１の装填部４の下側に凹み形成して設けた係止部１３とからなり、マンホール鉄蓋２を前記装填部４に嵌合させた状態で錠止するようになっている。ロック体１０は、上端部の両側に支軸１４をそれぞれ突設させた軸部１２と、軸部１２の下端部からマンホール鉄蓋座１の係止部１３側へ突出して、先端部が係止部１３に係止されるロック腕１６と、軸部１２の下端部であって、ロック腕１６と反対側の位置に突設した重り１７と、ロック腕１６の基端となる位置に設けたキー受部１５とを有している。なおロック体１０は鋳造品からなっている。ロック腕１６の先端部は、上向きに屈折しており、ロック腕１６の先端と係止部１３の内面上壁１３ａとの間には浮上隙間が確保されている。そして、この隙間内でロック体１０が上方変位できるようになっている。
【００１６】
前記一対の支軸１４は、マンホール鉄蓋２の下面部に揺動自在に支持されており、これによってロック体１０が、マンホール鉄蓋２の径方向（図１では左右方向）に沿って往復揺動自在になっている。重り１７は、その重心が支軸１４よりもマンホール鉄蓋２の中心側（図１では左側）に位置することで、ロック体１０に対して図１での反時計方向のモーメントを与えて、ロック腕１６を係止部１３側へ揺動付勢している。
【００１７】
マンホール鉄蓋２の下面部と重り１７との間には、捻りコイル形のキックばね１９を配置している。キックばね１９は、ロック体１０の各支軸１４に外嵌する一対のコイル部を有しており、両コイル部どうしを繋ぐ第１の腕１９ａを重り１７に当てがい、各コイル部から連出される第２の腕１９ｂをマンホール鉄蓋２の下面に当てがっている。キックばね１９は、ロック体１０が適正なロック姿勢になっているときは自由状態になっており、一方、マンホール鉄蓋２が非水平に設置されて、ロック腕１６が係止部１３から離れる方向へ傾斜しようとしたときには、重り１７を介してロック体１０を係止部１３側へ付勢して、ロック腕１６が係止部１３内に入り込んだ係止姿勢を維持するようにしている。
【００１８】
キー受部１５は、マンホール鉄蓋２に設けたキー穴２０内に嵌入するピン１５ａと、ピン１５ａを上下動可能に嵌合支持するピン支持穴（ピン支持部）１５ｂと、ピン１５ａを上方へ付勢するスプリング１５ｃとを有する。キー穴２０は、ロック体１０のキー受部１５と対面する個所に穿設しており、マンホールキーＫが挿通可能になっている（図４参照）。マンホールキーＫの先端部には、一対のキーＫ０（図４）を横方向に突設しており、キー穴２０は、図３に示すごとくマンホールキーＫの各キーＫ０が挿通するための溝２０ａ・２０ａを設けている。マンホール鉄蓋２の接合突起８の近傍には、キー穴２０と同一形状のキー穴２５が設けてある。
【００１９】
ピン１５ａは、図４に示すごとく下部の外径が上部の外径よりも小さくなって上下中間部に段壁が形成されている。ピン支持穴１５ｂは、キー受部１５を貫通しているとともに、下端部の内径が上部側の内径よりも小さくなって段壁が形成されている。そして、ピン１５ａの段壁とピン支持穴１５ｂの段壁との間にスプリング１５ｃが配置される。ピン１５ａの下端部は、ピン支持穴１５ｂの下方に突出しており、割りピン１５ｄによってピン１５ａが抜け止めされている。
【００２０】
以上のように構成したマンホール構造によれば、マンホール鉄蓋２を装填部４に嵌め込んだ閉蓋状態（図１の状態）では、ロック体１０のロック腕１６の先端が、係止部１３内に入り込んだ係止姿勢になっており、またロック体１０のピン１５ａの先端側が、マンホール鉄蓋２のキー穴２０内に嵌入している。
【００２１】
そして、マンホール鉄蓋２をマンホール鉄蓋座１から外して開蓋するときは、図４に示すごとくマンホールキーＫをキー穴２０内に差し込んで、マンホールキーＫの先端でキー穴２０内のピン１５ａをスプリング１５ｃの付勢力に抗して押し下げる。すると、ピン１５ａがキー穴２０から外れてロック体１０が揺動可能となる（図４の状態）。さらにマンホールキーＫのキーＫ０を溝２０ａ・２０ａに通しつつ、マンホールキーＫを押し下げると、ピン１５ａおよびキー受部１５を介してロック腕１６が揺動されて係止部１３から外れる（図５の状態）。
【００２２】
この状態で、マンホールキーＫを水平方向に回して、キーＫ０をマンホール鉄蓋２の下面に掛止させ、次いでマンホールキーＫを持ち上げてマンホール鉄蓋２を上昇させて、蓋裏の縁を装填部４の開口周縁壁上に引きずり上げる。次にマンホール鉄蓋２を作業者の側へ引き寄せて、接合突起８を接合凹部９から抜き出す。以後は、他のマンホールキーＫをキー穴２５に差し込んでキーＫ０をマンホール鉄蓋２の下面に掛止させた後、マンホール鉄蓋２を上昇させてマンホール鉄蓋座１外へ移動させて開蓋する。
【００２３】
マンホール鉄蓋２でマンホール鉄蓋座１を閉蓋するときは、上記の逆手順に従ってマンホール鉄蓋２を動かすことによって、マンホール鉄蓋座１の装填部４にマンホール鉄蓋２が嵌め込まれる。そして、ロック体１０側のマンホールキーＫをキー穴２０から抜き取ったときには、ロック体１０のロック腕１６がマンホール鉄蓋座１の係止部１３内に入り込んだ係止姿勢になるとともに、ロック体１０のピン１５ａの先端側が、スプリング１５ｃの付勢力でマンホール鉄蓋２のキー穴２０内に嵌入する。この結果、ロック体１０の揺動が規制されて、前記係止姿勢が保持されることになる。
【００２４】
例えば、集中豪雨などの際にマンホール内に充満する流水や空気の圧力がマンホール鉄蓋２に作用したときには、この圧力がロック体１０にも加わってロック体１０が揺動しようとするが、前述のようにロック体１０のピン１５ａがマンホール鉄蓋２のキー穴２０内に嵌入していることで、ロック体１０の揺動が規制される。
【００２５】
そして、前記圧力でマンホール鉄蓋２が浮上してロック体１０のロック腕１６がマンホール鉄蓋座１の係止部１３の内面上壁１３ａに当接しても、ロック体１０が揺動しないため、ロック腕１６が係止部１３の内面上壁１３ａに当接したままの状態で係止される。このうえで、マンホール鉄蓋２の接合突起８がマンホール鉄蓋座１の接合凹部９の内面上壁９ａに当接して係止されるため、これ以上のマンホール鉄蓋２の浮上が規制されて、マンホール鉄蓋２が前記圧力によって開くことがない。
【００２６】
なお、このマンホール鉄蓋２の浮上動作によって、マンホール鉄蓋２の嵌合面６および接合座７と、マンホール鉄蓋座１の装填部４との間には隙間が生じており、当該隙間を介してマンホール内の流水などがマンホール外へ流出する。マンホール内の圧力が減じると、マンホール鉄蓋２は自重で元の閉蓋位置へ復帰下降する。
【図面の簡単な説明】
【図１】本発明にかかるの閉蓋ロック構造の要部を示す断面図である。
【図２】マンホール構造の縦断正面図である。
【図３】マンホール鉄蓋とマンホール鉄蓋座の平面図である。
【図４】錠止構造の作用を示す断面図である。
【図５】錠止構造の作用を示す断面図である。
【符号の説明】
１  マンホール鉄蓋座
２  マンホール鉄蓋
４  装填部（開口内面部）
１０  ロック体
１２  軸部
１３  係止部
１４  支軸
１５  キー受部
１５ａ  ピン
１５ｂ  ピン支持穴（ピン支持部）
１５ｃ  スプリング
１６  ロック腕
１７  重り
１９  キックばね
２０  キー穴
【図１】
0003799380.tif 000002
【図２】
0003799380.tif 000003
【図３】
0003799380.tif 000004
【図４】
0003799380.tif 000005
【図５】
0003799380.tif 000006